(57)【要約】      （修正有）【課題】ろ過特性を損なうことなく、且つ特殊な製造工程を必要とせず、花粉、塵埃、病原ウイルス等の付着を防止するマスク本体を確実且つ簡易に製造できるマスクを提供する。【解決手段】被着者の顔面の少なくとも一部を覆い、通気性を有するシート体で形成されるマスク本体１と、マスク本体の両側を取り付けられた耳掛け部とを備え、マスク本体の少なくとも最外側表面に位置するシート体１１が、平滑な表面形状で扁平な断面形状１１０の合成繊維１００から形成され、合成繊維における長軸方向とシート体平面方向とのなす角度の余弦の値が短軸方向とシート体平面方向とのなす角度の余弦の値より大きく構成される。【選択図】図２
0003216582.tif 000002
【実用新案登録請求の範囲】
【請求項１】
被着者の顔面の少なくとも一部を覆い、通気性を有するシート体で形成されるマスク本体と、当該マスク本体の両側を取り付けられた耳掛け部とを備えるマスクにおいて、
前記マスク本体の少なくとも最外側表面に位置するシート体が、平滑な表面形状で扁平な断面構造の合成繊維から形成され、当該合成繊維における長軸方向とシート体平面方向とのなす角度（θ１）の余弦の値が短軸方向とシート体平面方向とのなす角度（θ２）の余弦の値より大きく構成されることを
特徴とするマスク。
【請求項２】
前記請求項１に記載のマスクにおいて、
前記マスク本体のシート体は、扁平な断面構造の合成繊維からなる不織布で構成され、当該不織布を構成する各合成繊維における長軸方向とシート体平面方向とのなす角度（θ１）の余弦の平均値が短軸方向のシート体平面方向となす角度（θ２）の余弦の平均値より大きく構成されることを
特徴とするマスク。
【請求項３】
前記請求項１又は２に記載のマスクにおいて、
前記マスク本体のシート体を構成する扁平な断面構造の合成繊維は短軸と長軸の比率が１：２乃至１：１０であることを
特徴とするマスク。
【請求項４】
前記請求項１ないし３のいずれかに記載のマスクにおいて、
前記扁平な断面構造の合成繊維からなるシート体が、マスク本体の最外側表面と共に、最内側表面の少なくとも上端部分に位置するように配設されることを
特徴とするマスク。
【考案の詳細な説明】
【技術分野】
【０００１】
本考案は、花粉、塵埃、病原ウイルス等をろ過して呼吸から防護するマスクに関し、特に気中に浮遊し、呼吸により吸引される花粉、塵埃、病原ウイルス等がマスク表面に付着するのを極力防止するマスクに関する。
【背景技術】
【０００２】
従来、この種の従来のマスクとしては、空気中に浮遊する花粉、塵埃、病原ウイルス等をろ過して呼吸の際に防護するマスクが多数存在し、これらの防護の機能としては、マスク本体のろ過特性を向上させて対処するものと、このマスク本体のろ過前にマスク本体表面への花粉、塵埃、病原ウイルス等の付着を防止して対処するものとがある。
【０００３】
前記ろ過特性を向上させたマスクは、特許文献１ないし３に開示されるものがあり、マスク本体を構成する繊維を微細化し、また繊維密度を大きくすることにより、マスク本体の多孔度を小さくする構成としていた。
【０００４】
他方、マスク本体表面への花粉等の付着を防止したマスクは、特許文献４ないし６に開示されるものがあり、マスク本体表面を形成する不織布を帯電防止剤を含むコーティング剤で被覆処理する構成とされていた。
【先行技術文献】
【特許文献】
【０００５】
【特許文献１】特開２００５−９５３７０号公報
【特許文献２】特開２００７−２１０２５号公報
【特許文献３】特開平１０−２２５５２６号公報
【特許文献４】特開２０１１−２３４９１０号公報
【特許文献５】特開２０１４−１１１１４７号公報
【特許文献６】特開２０１６−１４２１５号公報
【考案の概要】
【考案が解決しようとする課題】
【０００６】
従来のマスクは、以上のように構成されていたことから、ろ過特性を向上させてマスクにおいては、透過する空気量が減少すると共に、マスク内の湿度が高くなり息苦しく、呼吸が困難になるという課題を有していた。
【０００７】
また、マスク本体表面への花粉等の付着を防止するマスクにおいては、帯電防止剤を含むコーティング剤で被服処理を施した不織布でマスク本体を構成していたことから、被覆処理により不織布の多孔度が小さくなり、被着者が呼吸で息苦しくなるという課題を有していた。また、マスク製作工程においても、マスク本体に対してコーティング剤で被覆処理を別途行わなければならないという課題を有していた。
【０００８】
本考案は、前記課題を解消するためになされたもので、マスク本体のろ過特性を損なうことなく、且つ特殊な製造工程を必要とせず、花粉、塵埃、病原ウイルス等の付着を防止するマスク本体を確実且つ簡易に製造できるマスクを提供することを目的とする。
【課題を解決するための手段】
【０００９】
本考案に係るマスクは、被着者の顔面の少なくとも一部を覆い、通気性を有するシート体で形成されるマスク本体と、当該マスク本体の両側を取り付けられた耳掛け部とを備えるマスクにおいて、前記マスク本体の少なくとも最外側表面に位置するシート体が、平滑な表面形状で扁平な断面構造の合成繊維から形成され、当該合成繊維における長軸方向とシート体平面方向とのなす角度（θ１）の余弦の値が短軸方向とシート体平面方向とのなす角度（θ２）の余弦の値より大きく構成されることを特徴とするものである。
【００１０】
このように、本考案においては、平滑な表面形状で断面構造を扁平とする合成繊維からなるシート体をマスク本体の少なくとも最外側表面に位置させ、且つこの合成繊維の長軸方向を短軸方向よりシート体の平面方向に整列させるシート体の構造でマスク本体を構成したことから、マスク本体の最外側表面が極めて平滑且つ滑沢した表面形状を呈することとなり、花粉、塵埃、病原ウイルス等を滑落させてマスク本体への付着防止を図れると共に、シート体の平面方向に整列した扁平な合成繊維の隙間から円滑に空気を吸引・排出できることから、被着者の呼吸を容易にして息苦しさを解消できることとなる。
【００１１】
また、本考案に係るマスクは必要に応じて、マスク本体のシート体が、平滑な表面形状で扁平な断面構造の合成繊維からなる不織布で構成され、当該不織布を構成する各合成繊維における長軸方向のシート体平面方向となす角度（θ１）の余弦の平均値が短軸方向のシート体平面方向となす角度（θ２）の余弦の平均値より大きく構成されることを特徴とするものである。
【００１２】
このように本考案においては、マスク本体が不織布で形成され、この不織布を構成する扁平な断面構造の合成繊維が長軸方向を短軸方向シート体平面方向とのなす余弦の平均値を大きく構成しているので、前記不織布を形成する各合成繊維が離散的に積層状態で形成されたとしても全体としてマスク本体の最外側表面を平滑且つ滑沢化した表面形状を簡易且つ迅速に製作できることとなり、花粉、塵埃、病原ウイルス等を滑落させてマスク本体への付着防止を図れると共に、シート体の平面方向に整列した扁平な合成繊維の隙間から円滑に空気を吸引・排出できることから、被着者の呼吸を容易にして息苦しさを解消できることとなる。
【００１３】
また、本考案に係るマスクは必要に応じて、マスク本体のシート体を構成する扁平な断面構造の合成繊維は長軸と短軸の比率が２：１乃至１０：１であることが好ましく、３：１乃至８：１であることがより好ましく、３：１乃至６：１であることが特に好ましい。
【００１４】
このように本考案においては、長軸と短軸との比率が２：１乃至１０：１の範囲でシート体を形成する扁平な断面構造の合成繊維で構成したことから、マスク本体の最外側表面を平滑且つ滑沢化した表面形状に形成できると共に、この最外側表面からの空気の吸引・排出を円滑にできることを両立させることができることとなる。
【００１５】
また、本考案に係るマスクは必要に応じて、扁平な断面構造の合成繊維からなるシート体が、マスク本体の最外側表面と共に、最内側表面の少なくとも上端部分に位置するように配設されることを特徴とするものである。
【００１６】
このように本考案においては、扁平な断面構造の合成繊維からなるシート体をマスク本体の最内側表面の少なくとも上端部分にも配設していることから、花粉、塵埃、病原ウイルス等を滑落させてマスク本体への付着防止を図れると共に、シート体の平面方向に整列した扁平な合成繊維の隙間から円滑に空気を吸引・排出できることから、被着者の呼吸を容易にして息苦しさを解消できることに加え、被着者の化粧落ち等を防止することもできる。
【図面の簡単な説明】
【００１７】
【図１】本考案の一実施形態に係るマスクの正面図及びこの正面図におけるＡ−Ａ線の断面図である。
【図２】図１に記載のマスクにおけるマスク本体の一部拡大断面図、この一部拡大断面図における最外層シート体を形成する合成繊維の断面態様図である。
【図３】図２（Ｂ）に記載の合成繊維の断面態様図における合成繊維の扁平断面とスカラー積との説明図である。
【図４】本考案の一実施形態に係るマスクの花粉付着防止率を本実施形態のマスクＡと従来のマスクＢと比較して示す撮像画像特性図である。
【図５】本考案の他の実施形態に係るマスクの背面図及びこの背面図におけるＢ−Ｂ線の断面図である。
【考案を実施するための形態】
【００１８】
（本考案の一実施形態）
以下、本考案の一実施形態に係るマスクを図１ないし図３に基づいて説明する。
前記図１ないし３において本実施形態に係るマスクは、被着者の口・鼻部分を被覆する通気性を有するシート体を複数積層して形成されるマスク本体１と、このマスク本体１の両側に取付けられて被着者の耳部分に係合させる耳掛け部２とを備え、このマスク本体１の最外側に積層される最外側シート体１１が平滑な表面形状で扁平な断面形状１１０の合成繊維１００からなる不織布で形成され、この扁平な断面形状１１０の合成繊維１００の長軸方向Ｑを短軸方向Ｒより最外側シート体１１の平面方向Ｐに整列させる構成である。
【００１９】
前記マスク本体１は、前記最外側シート体１１の内側に配設され、超微細繊維からなる不織布を有する中間シート体１２と、この中間シート体１２の内側で被着者の顔面に接触するように配設される最内側ソート体１３とを備え、これらの積層されたシート体１１、中間シート体１２及び最内側シート体１３を横方向に４段に屈曲されたプリーツ加工が施される構成である。この中間シート体１２は、前記超微細繊維の不織布に加え、他の不織布等を積層した多層構造で成形することもできる。
【００２０】
前記最内側シート体１３は、毛羽立を抑制し、肌触りの良い吸湿性の不織布等で構成することもできる。また、マスク本体１は、最内側シート体１３の内側上部に撥水・撥油処理された処理シート体１４が配設され、被着者の頬部分からの化粧・油・汗等の付着を防止している。
【００２１】
前記不織布で形成される最外側シート体１１の各合成繊維１００は、短軸方向Ｒの長さＷと長軸方向Ｑの長さＬとの平均比率が、１：３．６８（後述する「マスクＡ」の場合）として形成される。また、各合成繊維１００は、図３に示すように長軸方向Ｑと最外側シート体１１の平面方向Ｐとのなす角度（θ１〜θ１ｎ）の余弦の値（Ａcosθ１〜Ａcosθ１ｎ）の平均値が短軸方向Ｒと最外側シート体１１の平面方向Ｐとのなす角度（θ２〜θ２ｎ）の余弦の値（Ｂcosθ２〜Ｂcosθ２ｎ）の平均値より大きく構成される。
【００２２】
このように不織布を形成する各合成繊維１００は、最外側シート体１１の断面において積層状態として離散的に存在することとなるが、単位面積当たりの各余弦の値（Ａcosθ１〜Ａcosθ１ｎ，Ｂcosθ２〜Ｂcosθ２ｎ）の各平均値としてこの長軸方向Ｑが短軸方向Ｒよりも最外側シート体１１の平面方向Ｐに整列されて形成されることから、最外側シート体１１の表面形状を平滑且つ滑沢させることができる。特に、この各合成繊維１００の長軸方向Ｑが最外側シート体１１の平面方向Ｐへの整列に加え、各合成繊維１００自体が扁平な断面形状の表面を平滑に形成されることとが相俟って、最外側シート体１１の表面形状はより一層の平滑化及び滑沢化を向上させることができることとなる。
【００２３】
次に、前記構成に基づく本実施形態のマスクにおける花粉付着について従来のマスクと比較した実験例（１）、（２）を説明する。
まず、実験例（１）においては、本実施形態に係るマスクのマスク本体１（以下、「マスクＡ」という。：繊維の長軸と短軸の比率は１：３．６８）及び花粉付着防止を施さない従来マスク（以下、「マスクＢ」という。；当該出願人が製造販売に係る「三次元マスク」：繊維の長軸と短軸の比率は１：１．０９）の各々一定面積（面積４×４ｃｍ）を切り取り、これらの切り取った各部分（以下、マスク本体部分という。）に疑似花粉を０．０５ｇを振りかけて行った。この疑似花粉はヒカゲノカズラの胞子（石松子）を用いた。
【００２４】
この疑似花粉を振りかけた後、当該疑似花粉に接触してからの時間に大きな差異を生じさせないように数分間放置した。この数分間放置した後に当該マスク本体部分に対して定規を５回軽く打付けて刺激を加える。
【００２５】
この刺激を加える前（ｂ）・後（ｃ）と疑似花粉を振りかける前（（ａ）；cont.）との各々について撮像した。これらの各撮像した画像に基づいて画像ソフトウェア「ImageJ」にて輝度を測定し、これらの測定結果より下記の計算式より花粉付着率を算出した。
【００２６】
花粉付着率＝１００−（ａ−ｂ）／（ｃ−ｂ）
この算出結果において、本実施形態に係る「マスクＡ」の花粉付着率は、３４．０％であり、花粉付着防止を施さない従来「マスクＢ」の花粉付着率５５．７％より少ない値となり、花粉付着を大きく防止できることが解る。
【００２７】
次に、実験例（２）においては、前記実験例（１）で用いた同一の疑似花粉を使用し、本実施形態に係る最外側シート体１１の不織布を７ｃｍ×７ｃｍの正方形状に裁断すると共に、前記花粉付着防止を施さない従来「マスクＢ」も同様に不織布を７ｃｍ×７ｃｍの正方形状に裁断して各々を対象とした。
【００２８】
前記疑似花粉０．２ｇと各裁断した２枚の不織布を４．５Ｌのポリ袋に投入して１００回（１回／秒）振ることにより各不織布に疑似花粉を付着させた。この作業の後に各不織布を取出して軽く数回振り、実体顕微鏡を用いて肉眼にて観察後に写真撮影することにより画像データを取得した（実施日；２０１７年８月１０日、実施機関；大和化学工業株式会社）。
前記各画像データを図５に各々示し、また、これらの各画像データに基づいて算出された花粉付着数及び花粉付着防止率を表１に示す。
【００２９】
【表１】
0003216582.tif 000003
【００３０】
前記表１における数値は繰り返し３回実施した合計値を示す。また、花粉付着防止率（％）は、（マスクＢの花粉付着数−マスクＡの花粉付着数）／（マスクＢの花粉付着数）×１００として求めた値である。
【００３１】
前記表１より本実施形態に係るマスク（「マスクＡ」）は、従来のマスク（「マスクＢ」）より明らかに花粉付着防止率が向上していることが解る。
【００３２】
（本考案の他の実施形態）
本考案の他の実施形態に係るマスクを図６に基づいて説明する。同図において本実施形態に係るマスクは、前記一の実施形態に係るマスクと同様に、最外側シート体１１、中間シート体１２、最内側シート体１３からなるマスク本体１と、耳掛け部２とを備え、この構成に加え、マスク本体１の最外側シート体１１が最内側シート体１３の外周辺部分へ折り返して被覆する付着防止シート１６〜１８を備える構成である。
【００３３】
この付着防止シート１６〜１８は、前記最外側シート体１１と同様に平滑な表面形状で扁平な断面構造の合成繊維を、この合成繊維の長軸方向を短軸方向より最外側シート体１１の平面方向に整列させて構成されていることから、内側面を平滑且つ滑沢した表面形状となり、被着者の頬部分からの化粧・油・汗等の付着を確実に防止できることとなる。この付着防止シート１６〜１８は、少なくとも付着防止シート１６を備えれば足り、全てを設けることを要せず、また前記実施形態に係るマスクに設けられた処理シート体１４をも設ける必要がなくなる。
【００３４】
また、前記各実施形態に係るマスクにおいては、横方向に複数のプリーツを有する構成としたが、プリーツを有さないマスクにも各実施形態に係るマスクの最外側面に位置する最外側シート体１１を配設する構成とすることもできる。
【００３５】
また、前記各実施形態に係るマスクにおいては、マスク本体１の最外側シート体１１を不織布で形成する構成としたが、平滑な表面形状で扁平な断面構造の合成繊維から形成される織地、編地等の生地を用いる構成とすることもできる。
【００３６】
このマスク本体１の中間シート体１２、最内側シート体１３、処理シート体１４のいずれも、前記最外側シート体１１と同様に不織布に代えて若しくは不織布と併せて織地、編地等の生地を用いる構成とすることもできる。
【符号の説明】
【００３７】
１  マスク本体
２  耳掛け部
１１  最外側シート体
１２  中間シート体
１３  最内側シート体
１４  処理シート体
１６，１７，１８  付着防止シート体
１００  合成繊維
【図１】
0003216582.tif 000004
【図２】
0003216582.tif 000005
【図３】
0003216582.tif 000006
【図４】
0003216582.tif 000007
【図５】
0003216582.tif 000008